(57)【要約】【課題】コネクタ基板の固定に要する組立工数が削減され、組立性が良好な液体吐出ヘッドを提供する。【解決手段】  液体を吐出する液体吐出ヘッド１０であって、液体吐出ヘッドの少なくとも一部を覆うカバー部材３と、配線部材が着脱可能に接続されるコネクタ２ａが設けられ、カバー部材３と係合する第１係合部５２を有するコネクタ基板２と、コネクタ２ａまたはコネクタ基板２と係合しつつコネクタ２ａの少なくとも一部を露出させる開口部６１と、カバー部材３と係合する第２係合部４１を有し、カバー部材３に着脱可能に装着されるキャップ部材１と、を備え、カバー部材３とコネクタ基板２との係合方向は、キャップ部材１とコネクタ２ａまたはコネクタ基板２との係合方向と交差する。【選択図】図１
2020138466.tif 000002
【特許請求の範囲】
【請求項１】
液体を吐出する液体吐出ヘッドであって、
前記液体吐出ヘッドの少なくとも一部を覆うカバー部材と、
配線部材が着脱可能に接続されるコネクタが設けられ、前記カバー部材と係合する第１係合部を有するコネクタ基板と、
前記コネクタまたは前記コネクタ基板と係合しつつ前記コネクタの少なくとも一部を露出させる開口部と、前記カバー部材と係合する第２係合部を有し、前記カバー部材に着脱可能に装着されるキャップ部材と、を備え、
前記カバー部材と前記コネクタ基板との係合方向は、前記キャップ部材と前記コネクタまたは前記コネクタ基板との係合方向と交差することを特徴とする液体吐出ヘッド。
【請求項２】
前記カバー部材と前記コネクタ基板との係合方向は、前記キャップ部材と前記コネクタまたは前記コネクタ基板との係合方向と略直交することを特徴とする請求項１に記載の液体吐出ヘッド。
【請求項３】
前記カバー部材と前記キャップ部材との係合方向は、前記カバー部材と前記コネクタ基板との係合方向と略平行であることを特徴とする請求項１または２に記載の液体吐出ヘッド。
【請求項４】
前記コネクタは、前記配線部材と接続する端子部が、前記キャップ部材の開口部から露出するように配置されることを特徴とする請求項１から３のいずれかに記載の液体を吐出するヘッド。
【請求項５】
請求項１から４のいずれかに記載の液体吐出ヘッドを備えたことを特徴とする液体吐出ユニット。
【請求項６】
請求項１から４のいずれかに記載の液体吐出ヘッドを備えたことを特徴とする液体を吐出する装置。
【発明の詳細な説明】
【技術分野】
【０００１】
本発明は、液体吐出ヘッド、液体吐出ユニット及び液体を吐出する装置に関する。
【背景技術】
【０００２】
インク等の液体を吐出する液体吐出ヘッドとして、ヘッド本体部と、外部からヘッド本体部の圧力発生手段を駆動するための信号を伝達する配線部材（例えば、フレキシブル配線部材）とをコネクタによって着脱可能に接続する構成が知られている。
【０００３】
ヘッドと配線部材とをコネクタを介して接続する構成とすることにより、印刷環境に応じて適宜配線部材の長さを選択することができ、また液体吐出ヘッドの交換や取付けを容易に行うことができる。
【０００４】
一般にコネクタは、コネクタ基板に配設され、該コネクタ基板を通じて駆動素子と電気的に接続される。コネクタ基板は、ヘッドの液体供給路や流路等を形成する部材の外周を覆うカバー部材に装着、固定される。
コネクタ基板をカバー部材に固定するためには、例えば、ピン等の固定用部材や接着剤などを用いることができる。
【０００５】
液体吐出ヘッドにおいて、カバー部材（フレーム）に取り付けられる部材を接着剤により接着した場合、その固定性に問題が生じる場合がある。例えば、キャップを受けるキャップ受け板が接着剤を用いて接着された態様においては、キャップの着脱に伴い、キャップ受け板の浮き上がりや剥離が生じることがある。
このような問題に対し、特許文献１では、スライド係合部を設けることにより係合状態とし、対象の部材を装着させる技術が提案されている。
【発明の概要】
【発明が解決しようとする課題】
【０００６】
一方、コネクタ基板をカバー部材に固定するために、ピン等の固定用部材や接着剤などを用いる従来の固定方法は、組立工数の増加や組立て難さの点に問題があり、コネクタ基板を備えた液体吐出ヘッドの組立性の向上が課題となっていた。
【０００７】
そこで、本発明は、コネクタ基板の固定に要する組立工数が削減され、組立性が良好な液体吐出ヘッドを提供することを目的とする。
【課題を解決するための手段】
【０００８】
上記課題を解決するために、本発明の液体吐出ヘッドは、液体を吐出する液体吐出ヘッドであって、前記液体吐出ヘッドの少なくとも一部を覆うカバー部材と、配線部材が着脱可能に接続されるコネクタが設けられ、前記カバー部材と係合する第１係合部を有するコネクタ基板と、前記コネクタまたは前記コネクタ基板と係合しつつ前記コネクタの少なくとも一部を露出させる開口部と、前記カバー部材と係合する第２係合部を有し、前記カバー部材に着脱可能に装着されるキャップ部材と、を備え、前記カバー部材と前記コネクタ基板との係合方向は、前記キャップ部材と前記コネクタまたは前記コネクタ基板との係合方向と交差することを特徴とする。
【発明の効果】
【０００９】
本発明によれば、コネクタ基板の固定に要する組立工数が削減され、組立性が良好な液体吐出ヘッドを提供することができる。
【図面の簡単な説明】
【００１０】
【図１】本実施形態に係る液体吐出ヘッドの一例を示す外観斜視図である。
【図２】本実施形態の液体吐出ヘッドを構成するキャップ部材の一例を示す説明図であり、（Ａ）は上面図、（Ｂ）は側面図、（Ｃ）は斜視図である。
【図３】本実施形態の液体吐出ヘッドを構成するコネクタ基板の一例を示す説明図であり、（Ａ）は上面図、（Ｂ）は側面図、（Ｃ）は斜視図である。
【図４】本実施形態の液体吐出ヘッドを構成するカバー部材の一例を示す説明図であり、（Ａ）は上面図、（Ｂ）は側面図、（Ｃ）は斜視図である。
【図５】カバー部材にコネクタ基板が取り付けられた状態を示す説明図であり、（Ａ）は上面図、（Ｂ）は側面図、（Ｃ）は斜視図である。
【図６】図４の状態にキャップ部材が取り付けられた状態を示す説明図であり、（Ａ）は上面図、（Ｂ）は側面図、（Ｃ）は斜視図である。
【図７】液体吐出ユニットの一例を示す側面図である。
【図８】液体吐出ユニットの一例を示す上面図である。
【図９】液体吐出ユニットの一例を示す側面図である。
【図１０】液体を吐出する装置の一例を示す機構部の平面説明図である。
【発明を実施するための形態】
【００１１】
以下、本発明に係る液体吐出ヘッド、液体吐出ユニット及び液体を吐出する装置について図面を参照しながら説明する。なお、本発明は以下に示す実施形態に限定されるものではなく、他の実施形態、追加、修正、削除など、当業者が想到することができる範囲内で変更することができ、いずれの態様においても本発明の作用・効果を奏する限り、本発明の範囲に含まれるものである。
【００１２】
本発明に係る液体吐出ヘッドについて、図１〜図６を参照して説明する。
図１は、本実施形態に係る液体吐出ヘッドの一例を示す外観斜視図である。
図２は、本実施形態の液体吐出ヘッドを構成するキャップ部材、図３はコネクタ基板、図４はカバー部材を示す説明図であり、図５はカバー部材にコネクタ基板が取り付けられた状態、図６はさらにキャップ部材が取り付けられた状態を示す説明図である。図１〜図５は、それぞれ（Ａ）が上面図、（Ｂ）が長手方向及び短手方向の側面図、（Ｃ）が斜視図を示している。
【００１３】
図１に示すように、液体吐出ヘッド１０は、ノズルから液体を吐出するヘッド本体部１１を備えている。
ヘッド本体部１１は、複数のノズルが配列されたノズル面１２を有し、ノズルが通じる個別液室に液体を供給する共通液室を形成する共通液室部材、各個別液室の液体を加圧する圧力発生手段を含む駆動素子部などを有している。
駆動素子部の圧力発生手段は、例えば、圧電型アクチュエータやサーマル型アクチュエータで構成される。
【００１４】
また、外部の液体供給源に接続され、共通液室に液体を供給する液体供給口部１３を有している。供給された液体は、ヘッド内部の供給経路から共通液室に供給され、共通液室から個別液室に供給される。そして、圧力発生手段を駆動することでノズルから液体が吐出される。
【００１５】
液体吐出ヘッド１０は、液体の供給経路や液室などを構成する部材の外周を覆うカバー部材３を備えている。
液体吐出ヘッド１０の液体吐出方向を下方向としたとき、カバー部材３の上部には、図４に示すように開口部６３が設けられ、図５に示すように開口部６３にコネクタ２ａが突出するように配置される。
【００１６】
また、カバー部材３には開口部６３を覆うキャップ部材１が着脱可能に取り付けられる。
キャップ部材１は、図２に示すように開口部６１を有する。
図１及び図６に示すように、キャップ部材１の開口部６１から、配線部材と接続する端子部６２が露出するように配置される。
【００１７】
コネクタ２ａは、図３に示すように、コネクタ基板２の基板部２ｂの上端部付近に配置され、基板部２ｂを通じて駆動素子部と電気的に接続されている。
コネクタ２ａの端子部６２には、駆動回路などに接続されるフレキシブル配線部材が着脱可能に接続される。これにより、液体吐出ヘッド１０と、液体吐出ヘッド１０が搭載される装置（後述する液体を吐出する装置）本体側の駆動回路とが接続される。
【００１８】
フレキシブル配線部材がコネクタ基板２に着脱可能に接続されることで、組み立てが容易となり、また装置内部構成のレイアウト自由度が向上する。
また、フレキシブル配線部材を着脱可能な構成とすることで、装置のラインナップ毎にフレキシブル配線部材の長さが異なっても同じ液体吐出ヘッドを用いることが可能となり、フレキシブル配線部材が着脱不可能な構成と比較して汎用性のあるヘッドとすることができる。
【００１９】
本実施形態の液体吐出ヘッドは、液体吐出ヘッドの少なくとも一部を覆うカバー部材３と、配線部材が着脱可能に接続されるコネクタ２ａが設けられ、カバー部材３と係合する第１係合部５２を有するコネクタ基板２と、コネクタ２ａまたはコネクタ基板２と係合しつつコネクタ２ａの少なくとも一部を露出させる開口部６１と、カバー部材３と係合する第２係合部４１を有し、カバー部材３に着脱可能に装着されるキャップ部材１と、を備え、カバー部材３とコネクタ基板２との係合方向は、キャップ部材１とコネクタ２ａまたはコネクタ基板２との係合方向と交差する。
【００２０】
図３に示すコネクタ基板２の第１係合部（係合凹部）５２と、図４に示すカバー部材３の第１係合部（係合凸部）５３とは、各図（Ｃ）の斜視図に示すようにＹ方向に係合する。
これにより、コネクタ基板２とカバー部材３とは図５に示すように固定され、コネクタ基板２（設置されたコネクタ２ａ）はＺ方向の動きが規制される。
【００２１】
一方、図５に示す状態において、コネクタ２ａと図２に示すキャップ部材１の開口部６１とは、各図（Ｃ）の斜視図に示すように、Ｚ方向に係合する。なお、開口部６１と係合する対象はコネクタ基板の基板部２ｂであってもよい。
これにより、図６に示すようにコネクタ２ａとキャップ部材１とが嵌まりあって固定され、コネクタ２ａ及びコネクタ基板２はＸＹ方向の動きが規制される。
【００２２】
カバー部材３とコネクタ基板２との係合方向は、キャップ部材１とコネクタ２ａ（またはコネクタ基板２）との係合方向と略直交することが好ましい。
上述のとおり、本実施形態において、カバー部材３とコネクタ基板２との係合方向（Ｙ方向）は、キャップ部材１とコネクタ２ａとの係合方向（Ｚ方向）と直交する。
そして、コネクタ２ａ及びコネクタ基板２は、カバー部材３によりＺ方向の動きが規制され、キャップ部材１によりＸＹ方向の動きが規制されるため、精度よく位置決め固定される。
【００２３】
一方、図５に示すカバー部材の第２係合部（係合凸部）４３と、図２に示すキャップ部材１の第２係合部（係合凹部）４１とは、各図（Ｃ）の斜視図に示されるようにＹ方向に係合する。
これにより、キャップ部材１とカバー部材３とは図６に示すように固定され、キャップ部材１はＺ方向の動きが規制される。
カバー部材３とキャップ部材１との係合方向は、カバー部材３とコネクタ基板２ａとの係合方向と略平行であることが好ましい。
本実施形態において、カバー部材３とキャップ部材１との係合方向（Ｙ方向）は、カバー部材３とコネクタ基板２ａとの係合方向（Ｙ方向）と平行である。
【００２４】
また、キャップ部材１は、装着されたときにコネクタ基板２の基板部２ｂと当接し、該基板部２ｂをカバー部材３の内壁に押しつけるように固定する構成であってもよい。
コネクタ基板２に設置されたコネクタ２ａは、位置決め固定されたキャップ部材１の開口部６１から端子部６２が露出するように配置される。このような構成により、配線部材と接続する端子部６２は高い精度で位置決めされる。
【００２５】
本実施形態の液体吐出ヘッドによれば、従来、コネクタ基板２の固定に必要とされた固定部材や接着剤などが不要であり、コネクタ基板の固定に要する組立工数が削減され、組立性が良好である。
【００２６】
なお、コネクタ基板２の第１係合部（係合凹部）５２とカバー部材３の第１係合部（係合凸部）５３、及びカバー部材の第２係合部（係合凸部）４３とキャップ部材１の第２係合部（係合凹部）４１とは、それぞれＺ方向の動きを規制可能に固定することができる係合形態であれば、図示した形態に限定されない。
「係合」としては、例えば、凹部または孔部に、凸部または棒状（軸状）の構造が嵌まりあう態様の他、一方の対象物の移動を規制するように他方の対象物が囲む態様や、一方の対象物の面を他方の対象物が被覆する態様などが挙げられる。
係合部の構造としては、例えば、本実施形態のような凹部または孔部に、凸部または棒状（軸状）の構造が嵌まりあう形態の他、一方の対象物の移動を規制するように他方の対象物が囲む構造や、一方の対象物の面を他方の対象物が被覆する構造などが挙げられ、適宜選択することができる。
【００２７】
〔液体吐出ユニット〕
液体吐出ユニットは、上述の本発明に係る液体吐出ヘッドを備えている。
図７〜図９に、本実施形態に係る液体吐出ユニットの一例を示す。
「液体吐出ユニット」とは、液体吐出ヘッドに他の機能部品、機構が一体化したものであり、液体を吐出する機能に関連する部品の集合体である。例えば、「液体吐出ユニット」は、ヘッドタンク、キャリッジ、供給機構、維持回復機構、主走査移動機構の構成の少なくとも一つを液体吐出ヘッドと組み合わせたものなどが含まれる。
ここで、一体化とは、例えば、液体吐出ヘッドと機能部品、機構が、締結、接着、係合などで互いに固定されているもの、一方が他方に対して移動可能に保持されているものを含む。また、液体吐出ヘッドと、機能部品、機構が互いに着脱可能に構成されていても良い。
【００２８】
例えば、液体吐出ユニット４４０として、図７に示すように液体吐出ヘッド４０４とヘッドタンク４４１が一体化されているものがある。
図７に示す液体吐出ユニット４４０はキャリッジ４０３に搭載されている。キャリッジ４０３は、主走査移動機構を構成するガイド部材４０１により保持され、主走査方向に往復移動する。
【００２９】
図７には、後述する液体を吐出する装置を構成している部材のうち、被記録媒体（例えば、用紙等）を搬送するための手段である搬送ベルト４１２を示している。この搬送ベルト４１２は、無端状ベルトであり、搬送ローラ４１３と、テンションローラ４１４との間に掛け渡されている。
【００３０】
また、チューブなどで互いに接続されて、液体吐出ヘッドとヘッドタンクが一体化されているものがある。ここで、これらの液体吐出ユニットのヘッドタンクと液体吐出ヘッドとの間にフィルタを含むユニットを追加することもできる。
また、液体吐出ユニットとして、液体吐出ヘッドとキャリッジが一体化されているものがある。
また、液体吐出ユニットとして、液体吐出ヘッド４０４を主走査移動機構の一部を構成するガイド部材４０１に移動可能に保持させて、液体吐出ヘッド４０４と主走査移動機構４９３が一体化されているものがある。
【００３１】
また、図８に示すように、液体吐出ヘッド４０４とキャリッジ４０３と主走査移動機構４９３が一体化されているものがある。
図８に示す液体吐出ユニットは、後述する液体を吐出する装置を構成している部材のうち、側板４９１Ａ、４９１Ｂ及び背板４９１Ｃで構成される筐体部分と、主走査移動機構４９３と、キャリッジ４０３と、液体吐出ヘッド４０４とで構成されている。図中矢印Ｄ１は主走査方向を示す。
【００３２】
また、液体吐出ユニットとして、液体吐出ヘッドが取り付けられたキャリッジに、維持回復機構の一部であるキャップ部材を固定させて、液体吐出ヘッドとキャリッジと維持回復機構が一体化されているものがある。
【００３３】
また、液体吐出ユニットとして、図９に示すように流路部品４４４が取付けられた液体吐出ヘッド４０４にチューブ４５６が接続されて、液体吐出ヘッド４０４と供給機構が一体化されているものがある。このチューブ４５６を介して、液体貯留源の液体が液体吐出ヘッド４０４に供給される。
流路部品４４４はカバー４４２の内部に配置されている。流路部品４４４に代えてヘッドタンク４４１を含むこともできる。また、流路部品４４４の上部には液体吐出ヘッド４０４と電気的接続を行うコネクタ４４３が設けられている。
【００３４】
主走査移動機構は、ガイド部材単体も含むものとする。また、供給機構は、チューブ単体、装填部単体も含むものする。
【００３５】
〔液体を吐出する装置〕
液体を吐出する装置の一例としてのシリアル型の画像形成装置を図１０に示す。図１０は、同装置の機構部の平面説明図である。
本発明に係る液体を吐出する装置は、図中の液体吐出ヘッド１０ａ及び１０ｂ（区別しないときは「液体吐出ヘッド１０」という）に図示しないサブタンク及びエアタンクが取り付けられてなる。
【００３６】
図１０に示す液体を吐出する装置は、図示しない左右の側板に横架した主ガイド部材１０１及び図示しない従ガイド部材でキャリッジ１０３を移動可能に保持している。そして、主走査モータ１０５によって、駆動プーリ１０６と従動プーリ１０７間に架け渡したタイミングベルト１０８を介して主走査方向（キャリッジ移動方向）Ｄ１に往復移動する。
【００３７】
このキャリッジ１０３には、液体吐出ヘッド８を搭載している。液体吐出ヘッド１０は、例えば、イエロー（Ｙ）、シアン（Ｃ）、マゼンタ（Ｍ）、ブラック（Ｋ）の各色のインク滴を吐出する。
また、液体吐出ヘッド１０は、複数のノズルからなるノズル列１０ｎを主走査方向Ｄ１と直交する副走査方向Ｄ２に配置し、滴吐出方向を下方に向けて装着している。
【００３８】
液体吐出ヘッド１０を構成する液体吐出ヘッドとしては、例えば、圧電素子などの圧電アクチュエータ、発熱抵抗体などの電気熱変換素子を用いて液体の膜沸騰による相変化を利用するサーマルアクチュエータを用いることができる。
【００３９】
一方、用紙Ｐを搬送するために、用紙を静電吸着して液体吐出ヘッド１０に対向する位置で搬送するための用紙搬送手段である用紙搬送ベルト１１２を備えている。この用紙搬送ベルト１１２は無端状ベルトであり、ベルト搬送ローラ１１３とテンションローラ１１４との間に掛け渡されている。
【００４０】
そして、用紙搬送ベルト１１２は、副走査モータ１１６によってタイミングベルト１１７及びタイミングプーリ１１８を介してベルト搬送ローラ１１３が回転駆動されることによって、副走査方向Ｄ２に周回移動する。この用紙搬送ベルト１１２は、周回移動しながら図示しない帯電ローラによって帯電（電荷付与）される。
【００４１】
さらに、キャリッジ１０３の主走査方向Ｄ１の一方側には用紙搬送ベルト１１２の側方に液体吐出ヘッド１０の維持回復を行う維持回復機構（クリーニング部）１２０が配置され、他方側には用紙搬送ベルト１１２の側方に液体吐出ヘッド１０から空吐出を行う空吐出受け１２１がそれぞれ配置されている。
維持回復機構１２０は、例えば液体吐出ヘッド１０のノズル面１２をキャッピングするキャップ部材１２０ａ、ノズル面を払拭する払拭機構１２０ｂ、画像形成に寄与しない液滴を吐出する図示しない空吐出受けなどで構成されている。
払拭機構１２０ｂとしては、後述する液体を吸収可能な長尺状の払拭部材を少なくとも備え、さらに弾性材料（例えば、ゴム等）によって形成されたブレード状の部材を備えていてもよい。
【００４２】
また、用紙搬送ベルト１１２と維持回復機構１２０との間の記録領域外であって、液体吐出ヘッド１０に対向可能な領域には、吐出検知ユニット１００が配置されている。一方、キャリッジ１０３には、吐出検知ユニット１００の電極板を清掃する清掃ユニット２００が設けられている。
【００４３】
また、キャリッジ１０３の主走査方向Ｄ１に沿って両側板間に、所定のパターンを形成したエンコーダスケール１２３を張装し、キャリッジ１０３にはエンコーダスケール１２３のパターンを読取る透過型フォトセンサからなるエンコーダセンサ１２４を設けている。これらのエンコーダスケール１２３とエンコーダセンサ１２４によってキャリッジ１０３の移動を検知するリニアエンコーダ（主走査エンコーダ）を構成している。
【００４４】
また、ベルト搬送ローラ１１３の軸にはコードホイール１２５を取り付け、このコードホイール１２５に形成したパターンを検出する透過型フォトセンサからなるエンコーダセンサ１２６を設けている。これらのコードホイール１２５とエンコーダセンサ１２６によって用紙搬送ベルト１１２の移動量及び移動位置を検出するロータリエンコーダ（副走査エンコーダ）を構成している。
【００４５】
このように構成したこの画像形成装置においては、図示しない給紙トレイから用紙Ｐが帯電された用紙搬送ベルト１１２上に給紙されて吸着され、用紙搬送ベルト１１２の周回移動によって用紙Ｐが副走査方向Ｄ２に搬送される。
【００４６】
そこで、キャリッジ１０３を主走査方向Ｄ１に移動させながら画像信号に応じて液体吐出ヘッド８を駆動することにより、停止している用紙Ｐにインク滴を吐出して１行分を記録する。そして、用紙Ｐを所定量搬送後、次の行の記録を行う。
【００４７】
記録終了信号又は用紙Ｐの後端が記録領域に到達した信号を受けることにより、記録動作を終了して、用紙Ｐを図示しない排紙トレイに排紙する。
【００４８】
なお、本願において「液体を吐出する装置」は、液体吐出ヘッド又は液体吐出ユニットを備え、液体吐出ヘッドを駆動させて、液体を吐出させる装置である。上述の例の他、液体を吐出する装置には、液体が付着可能なものに対して液体を吐出することが可能な装置だけでなく、液体を気中や液中に向けて吐出する装置も含まれる。
この「液体を吐出する装置」は、液体が付着可能なものの給送、搬送、排紙に係わる手
段、その他、前処理装置、後処理装置なども含むことができる。
【００４９】
例えば、「液体を吐出する装置」として、インクを吐出させて用紙に画像を形成する装
置である画像形成装置、立体造形物（三次元造形物）を造形するために、粉体を層状に形成した粉体層に造形液を吐出させる立体造形装置（三次元造形装置）がある。
また、「液体を吐出する装置」は、吐出された液体によって文字、図形等の有意な画像が可視化されるものに限定されるものではない。例えば、それ自体意味を持たないパターン等を形成するもの、三次元像を造形するものも含まれる。
【００５０】
上記「液体が付着可能なもの」とは、液体が少なくとも一時的に付着可能なものであって、付着して固着するもの、付着して浸透するものなどを意味する。具体例としては、用紙、記録紙、記録用紙、フィルム、布などの被記録媒体、電子基板、圧電素子などの電子部品、粉体層（粉末層）、臓器モデル、検査用セルなどの媒体であり、特に限定しない限り、液体が付着するすべてのものが含まれる。
【００５１】
上記「液体が付着可能なもの」の材質は、紙、糸、繊維、布帛、皮革、金属、プラスチック、ガラス、木材、セラミックスなど液体が一時的でも付着可能であればよい。
【００５２】
また、「液体」は、ヘッドから吐出可能な粘度や表面張力を有するものであればよく、特に限定されないが、常温、常圧下において、または加熱、冷却により粘度が３０ｍＰａ・ｓ以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどであり、これらは例えば、インクジェット用インク、表面処理液、電子素子や発光素子の構成要素や電子回路レジストパターンの形成用液、３次元造形用材料液等の用途で用いることができる。
【００５３】
また、「液体を吐出する装置」は、液体吐出ヘッドと液体が付着可能なものとが相対的に移動する装置があるが、これに限定するものではない。具体例としては、液体吐出ヘッドを移動させるシリアル型装置、液体吐出ヘッドを移動させないライン型装置などが含まれる。
【００５４】
また、「液体を吐出する装置」としては他にも、用紙の表面を改質するなどの目的で用紙の表面に処理液を塗布するために処理液を用紙に吐出する処理液塗布装置、原材料を溶液中に分散した組成液をノズルを介して噴射させて原材料の微粒子を造粒する噴射造粒装置などがある。
【符号の説明】
【００５５】
１        キャップ部材
２        コネクタ基板
２ａ      コネクタ
２ｂ      基板部
３        カバー部材
１０      液体吐出ヘッド
１２      ノズル面
４１      第２係合部（係合凹部）
４３      第２係合部（係合凸部）
５２      第１係合部（係合凹部）
５３      第１係合部（係合凸部）
６１      開口部（キャップ部材）
６２      端子部
６３      開口部（カバー部材）
【先行技術文献】
【特許文献】
【００５６】
【特許文献１】特許第４１９６６１９号公報
【図１】
2020138466.tif 000003
【図２】
2020138466.tif 000004
【図３】
2020138466.tif 000005
【図４】
2020138466.tif 000006
【図５】
2020138466.tif 000007
【図６】
2020138466.tif 000008
【図７】
2020138466.tif 000009
【図８】
2020138466.tif 000010
【図９】
2020138466.tif 000011
【図１０】
2020138466.tif 000012